(57)【要約】      （修正有）【課題】手軽な画像編集作業を実現するオーダーメイドの発注方法を提供する。【解決手段】電子装置と商品の生産者のサーバーとの間の通信を利用するオーダーメイドの発注方法である。それぞれ対象物の異なる形状を示す複数の対象物タイプを含むタイプリストと、対象物に適用できる複数のデザイン要素を含むデザイン要素リストと、選択された対象物を編集するための編集エリアと、を含む編集ページを表示する選択工程と、選択工程において、入力手段によりタイプリストの中から１つの対象物タイプが選択されたことに応じ、選択された対象物タイプを示す対象物画像を編集できるように編集エリアに対象物画像を表示する画像編集工程と、画像編集工程において、対象物画像の編集作業を終了させる旨の入力手段による操作に応じ、編集された対象物画像に関するデータをサーバーに送信する送信工程と、を含む。【選択図】図７
2019071054.tif 000002
【特許請求の範囲】
【請求項１】
中央処理装置、表示手段、通信手段、入力手段及び記憶手段を備えた電子装置と商品の生産者のサーバーとの間の通信を利用するオーダーメイドの発注方法であって、
それぞれ対象物の異なる形状を示す複数の対象物タイプを含むタイプリストと、前記対象物に適用できる複数のデザイン要素を含むデザイン要素リストと、選択された前記対象物タイプを示す対象物画像を編集するための編集エリアと、を含む編集ページを表示するように、前記中央処理装置により前記表示手段を制御する選択工程と、
前記選択工程において、前記入力手段により前記タイプリストの中から１つの前記対象物タイプが選択されたことに応じ、選択された前記対象物タイプを示す前記対象物画像を編集できるように前記編集エリアに前記対象物画像を表示するように、前記中央処理装置により前記表示手段を制御する画像編集工程と、
前記画像編集工程において、前記対象物画像の編集作業を終了させる旨の前記入力手段による操作に応じ、編集された前記対象物画像に関するデータを前記サーバーに送信するように、前記中央処理装置により前記通信手段を制御する送信工程と、
を含み、且つ、
選択された前記対象物タイプを示す識別コードを含む前記データと、前記対象物画像に対して行われた編集履歴を記録するログデータと、を前記中央処理装置により前記記憶手段に記録するログ記録工程を更に含み、
前記送信工程では、前記通信手段は、
前記中央処理装置の命令に基いて、前記サーバー側にて前記データに含まれた前記識別コードと前記ログデータとに基づいて、前記編集エリアに表示された前記対象物画像に関する注文データを生成させるように、
編集された前記対象物画像に関する前記データを、編集された前記対象物画像に関する前記ログデータと共に送信することを特徴とするオーダーメイドの発注方法。
【請求項２】
前記編集ページは、前記対象物画像に対する特定の編集結果が反映されると共に前記対象物画像に適用できる複数のテンプレートを含むテンプレートリストを更に含み、
前記複数のテンプレートにおいて、前記記憶手段に記憶されたデフォルトテンプレートの他、サードパーティーにより提供される外部テンプレートとが含まれることを特徴とする請求項１に記載のオーダーメイドの発注方法。
【請求項３】
前記編集ページは、前記対象物を構成する部品を含む部品リストを更に含むことを特徴とする請求項２に記載のオーダーメイドの発注方法。
【請求項４】
前記サードパーティーによる前記外部テンプレートが選択されたことに応じ、前記サードパーティーに対する使用料の支払いの承諾を求めるメッセージを表示するように、前記中央処理装置により前記表示手段を制御する通知工程を更に含むことを特徴とする請求項２又は請求項３に記載のオーダーメイドの発注方法。
【請求項５】
編集された前記対象物画像を前記テンプレートとして他の使用者が利用できるように公開するかどうかを問い合わせるためのメッセージを表示するように、前記中央処理装置により前記表示手段を制御する確認工程を更に含むことを特徴とする請求項４に記載のオーダーメイドの発注方法。
【請求項６】
前記サーバーは、前記送信工程により受信した前記対象物画像に関する前記データに基づいて注文書を生成することを特徴とする請求項１〜５の何れか１項に記載のオーダーメイドの発注方法。
【請求項７】
前記注文書は、前記編集エリアに表示された前記デザイン要素が印刷された取付シートが、選択された前記対象物タイプに対応する本体に取付けられる商品の製作を要求するものであることを特徴とする請求項６に記載のオーダーメイドの発注方法。
【請求項８】
前記送信工程において、前記編集エリアに表示された前記対象物画像に関する前記データは、前記対象物画像を示す画像データを含むことを特徴とする請求項１〜７の何れか１項に記載のオーダーメイドの発注方法。
【請求項９】
前記送信工程の後に、
注文変更を請求する前記入力手段による操作に応じ、前記サーバーに対して注文した前記オーダーメイドの商品の変更を請求する注文変更請求を送信するように、前記中央処理装置により前記通信手段を制御する注文変更要求工程と、
前記電子装置の前記通信手段により前記サーバーから受信した前記注文変更請求に対する応答が可であり、該応答は前記電子装置が前記対象物画像を含む前記編集ページを表示することを許可する場合、前記対象物画像を含む前記編集ページを表示するように、前記中央処理装置により前記表示手段を制御する再編集工程と、
を更に含むことを特徴とする請求項１〜８の何れか１項に記載のオーダーメイドの発注方法。
【請求項１０】
中央処理装置、表示手段、通信手段、入力手段及び記憶手段を備えた電子装置と通信でき、演算処理装置、通信コンポーネント、及び記憶コンポーネントを備え、商品の生産者のサーバーとの間の通信を利用するオーダーメイドの受注方法であって、
前記電子装置の前記表示手段が、それぞれ対象物の異なる形状を示す複数の対象物タイプを表示するタイプリストと、前記対象物に適用できる複数のデザイン要素を含むデザイン要素リストと、を表示するために、前記タイプリストと、前記デザイン要素リストと、に関連するデータを前記電子装置に送信するように、前記演算処理装置により前記通信コンポーネントを制御する第１の送信工程と、
前記電子装置の前記入力手段により、前記タイプリストの中から１つの前記対象物タイプが選択されたことに応じ、前記電子装置の前記表示手段に表示される編集エリアに、選択された前記対象物タイプを示す対象物画像を表示するために、選択された該対象物タイプに関連するデータを前記電子装置に送信するように、前記演算処理装置により通信コンポーネントを制御する第２の送信工程と、
前記電子装置から前記電子装置の前記表示手段の前記編集エリアに表示されている前記対象物画像に対応するデータを前記通信コンポーネントにより受信する受信工程と、を含み、
前記演算処理装置は、前記編集エリアに表示された前記デザイン要素が印刷された取付シートが、前記受信工程により受信した前記データに含まれる前記対象物タイプが対応する本体に取り付けられる商品の製作を要求する注文書を生成することを特徴とするオーダーメイドの受注方法。
【請求項１１】
前記受信工程の後に、
前記通信コンポーネントが前記電子装置から受信した前記注文書の変更を要求する注文変更請求に応じ、該注文書に対応するオーダーメイドの商品の製作進捗を元に、該注文変更請求の承諾の可否を前記演算処理装置により判断する再編集判断工程と、
前記再編集判断工程における判断が可である場合、前記電子装置に前記対象物画像を含む編集ページを表示することを許可する応答を送信するように、前記演算処理装置により前記通信コンポーネントを制御する再編集許可工程と、
を更に含むことを特徴とする請求項１０に記載のオーダーメイドの受注方法。
【請求項１２】
前記受信工程において、受信する前記電子装置の前記表示手段に表示されている前記対象物画像に対応する前記データは、選択された前記対象物タイプを示す識別コードと、前記対象物画像に対して行われた編集履歴を記録するログデータと、が含まれており、
前記演算処理装置により、
前記識別コードに基づいて、選択された前記対象物タイプに対応する画像データを前記記憶コンポーネントから読み込み、且つ
読み込んだ前記画像データに対し、受信した前記ログデータを適用することによって、前記受信工程において前記電子装置の前記表示手段に表示されていた前記対象物画像を再現する再現工程を更に含むことを特徴とする請求項１０又は請求項１１に記載のオーダーメイドの受注方法。
【請求項１３】
中央処理装置、表示手段、通信手段、入力手段及び記憶手段を備え、前記通信手段により商品の生産者のサーバーと通信でき、且つ、前記中央処理装置は、請求項１〜９の何れか１項に記載のオーダーメイドの発注方法を実行するように表示手段、通信手段、入力手段及び記憶手段を制御することを特徴とする電子装置。
【請求項１４】
電子装置から電気通信回線を介してサーバーに対して対象物を発注するオーダーメイドの発注システムであって、
前記電子装置は、
前記サーバーと通信するための通信手段と、
発注する対象物を選択する入力手段と、
発注する対象物毎に異なる形状を示す複数の対象物タイプを含むタイプリストと、前記対象物タイプの画像である対象物画像に対する編集結果が反映された複数のテンプレートを含むテンプレートリストと、前記対象物に適用する複数のデザイン要素を含むデザイン要素リストと、が記憶された記憶手段と、
前記タイプリストと、前記テンプレートリストと、前記デザイン要素リストに加え、前記対象物画像に対して編集を行なうための編集エリアとを表示する表示装置と、
前記入力手段によって前記表示装置に表示された前記タイプリストの中から選択された前記対象物タイプを前記編集エリアに表示し、前記テンプレートリストの中から前記入力手段によって選ばれたいずれかのテンプレートと前記デザイン要素リストの中から前記入力手段によって選ばれた少なくともいずれかの前記デザイン要素とを前記対象物画像に適用して、前記対象物画像を編集するように制御する中央処理装置と、を備え、
前記中央処理装置は、選択された前記対象物タイプを示す識別コードを含むデータと、前記対象物画像に対して行われた編集履歴を記録するログデータと、を前記記憶手段に記録し、且つ、前記対象物画像の編集作業を終了させる旨の前記入力手段による操作に応じて、前記通信手段が編集された前記対象物の前記対象物画像に関する前記データを、編集された前記対象物画像に関する前記ログデータと共に前記電気通信回線を介して前記サーバーに送信するように制御し、
前記サーバーは、前記データと前記ログデータを受信する際に、前記データに含まれた前記識別コードと前記ログデータとに基づいて、前記編集エリアに表示された前記対象物画像に関する注文データを生成することを特徴とするオーダーメイドの発注システム。
【発明の詳細な説明】
【技術分野】
【０００１】
本発明は、オーダーメイドの発注方法、受注方法、及びオーダーメイドの発注方法を実行する電子装置、並びにオーダーメイドの発注システムに関する。
【背景技術】
【０００２】
従来のオーダーメイドの発注方法としては、消費者が自らの意思に基づいて、商品(例えば靴、衣服など)のデザイン及び外見を決定して発注し、商品の生産者が受注した注文に従って商品を製造する方法が知られている。(例えば、特許文献１及び特許文献２を参照)
【先行技術文献】
【特許文献】
【０００３】
【特許文献１】台湾特許出願公開第２００７３３９０８号公報
【特許文献２】台湾特許出願公開第２００７０１８９９号公報
【発明の概要】
【発明が解決しようとする課題】
【０００４】
しかし、従来のオーダーメイドの生産工程において、１つの注文に対応する１つの版または金型を製造してそれを用いて所望の商品を生産する必要がある。即ち、１００人から受注した注文を受けた場合、それぞれ対応する１００個の版または金型を製造せざるを得ない。更に、オーダーメイドにおける版または金型を他の消費者にも使用できる可能性は低いため、版または金型の製造におけるコストは、基本的に注文した消費者が全額負担することとなり、オーダーメイドの商品は、量産品よりも高い費用がかかる。
【０００５】
また、画像編集スキルを持つ消費者の数が少ないため、デザインを正確に表す画像ファイルが使用者から提供できず、このため商品の生産者自らが作成することになる。従って、画像ファイル作成するためのコストも消費者に請求することとなる。結果、オーダーメイドの商品に対する購入意向が量産品の購入意向より低く、普及しがたい。
【０００６】
よって、本発明は上記の問題点に鑑みて、手軽な画像編集作業を実現できる、オーダーメイドの発注方法、受注方法、及びオーダーメイドの発注方法を実行する電子装置、並びにオーダーメイドの発注システムの提供を目的とする。
【課題を解決するための手段】
【０００７】
上記目的を達成すべく、本発明による実施形態は、中央処理装置、表示手段、通信手段、入力手段及び記憶手段を備えた電子装置と商品の生産者のサーバーとの間の通信を利用するオーダーメイドの発注方法であって、それぞれ対象物の異なる形状を示す複数の対象物タイプを含むタイプリストと、前記対象物に適用できる複数のデザイン要素を含むデザイン要素リストと、選択された前記対象物タイプを示す対象物画像を編集するための編集エリアと、を含む編集ページを表示するように、前記中央処理装置により前記表示手段を制御する選択工程と、前記選択工程において、前記入力手段により前記タイプリストの中から１つの前記対象物タイプが選択されたことに応じ、選択された前記対象物タイプを示す前記対象物画像を編集できるように前記編集エリアに前記対象物画像を表示するように、前記中央処理装置により前記表示手段を制御する画像編集工程と、前記画像編集工程において、前記対象物画像の編集作業を終了させる旨の前記入力手段による操作に応じ、編集された前記対象物画像に関するデータを前記サーバーに送信するように、前記中央処理装置により前記通信手段を制御する送信工程と、を含むオーダーメイドの発注方法を提供する。
【０００８】
更に、本発明による実施形態は、中央処理装置、表示手段、通信手段、入力手段及び記憶手段を備え、前記通信手段により商品の生産者のサーバーと通信でき、且つ、前記中央処理装置は、上記したオーダーメイドの発注方法を実行するように表示手段、通信手段、入力手段及び記憶手段を制御する電子装置を提供する。
【０００９】
更に、本発明による実施形態は、中央処理装置、表示手段、通信手段、入力手段及び記憶手段を備えた電子装置と通信でき、演算処理装置、通信コンポーネント、及び記憶コンポーネントを備え、商品の生産者のサーバーとの間の通信を利用するオーダーメイドの受注方法であって、前記電子装置の前記表示手段が、それぞれ対象物の異なる形状を示す複数の対象物タイプを表示するタイプリストと、前記対象物に適用できる複数のデザイン要素を含むデザイン要素リストと、を表示するために、タイプリストと、デザイン要素リストと、に関連するデータを前記電子装置に送信するように、前記演算処理装置により前記通信コンポーネントを制御する第１の送信工程と、前記電子装置の前記入力手段により、前記タイプリストの中から１つの前記対象物タイプが選択されたことに応じ、前記入力手段に表示される編集エリアに、選択された前記対象物タイプを示す対象物画像を表示するために、選択された該対象物タイプに関連するデータを送信するように、前記演算処理装置により通信コンポーネントを制御する第２の送信工程と、前記電子装置から前記電子装置の前記表示手段の前記編集エリアに表示されている前記対象物画像に対応するデータを前記通信コンポーネントにより受信する受信工程と、を含み、前記編集エリアに表示された前記デザイン要素が印刷された取付シートが、前記受信工程により受信した前記データに含まれる前記対象物タイプが対応する本体に取り付けられる商品の製作を要求する注文書を生成するオーダーメイドの受注方法を提供する。
【００１０】
また、本発明による実施形態は、電子装置から電気通信回線を介してサーバーに対して対象物を発注するオーダーメイドの発注システムにおいて、前記電子装置は、前記サーバーと通信するための通信手段と、発注する対象物を選択する入力手段と、発注する対象物毎に異なる形状を示す複数の対象物タイプを含むタイプリストと、前記対象物タイプの画像である対象物画像に対する編集結果が反映された複数のテンプレートを含むテンプレートリストと、前記対象物に適用する複数のデザイン要素を含むデザイン要素リストと、が記憶された記憶手段と、前記タイプリストと、前記テンプレートリストと、前記要素リストに加え、前記対象物画像に対して編集を行なうための編集エリアとを表示する表示装置と、前記入力手段によって前記表示装置に表示された前記タイプリストの中から選択した前記対象物タイプを前記編集エリアに表示し、前記テンプレートリストの中から前記入力手段によって選ばれたいずれかのテンプレートと前記デザイン要素リストの中から前記入力手段によって選ばれた少なくともいずれかの前記デザイン要素とを前記対象物画像に適用して、前記対象物画像を編集するように制御する中央処理装置と、を備え、前記中央処理装置は、前記対象物画像の編集作業を終了させる旨の前記入力手段による操作に応じて、編集された前記対象物の前記対象物画像に関するデータを前記通信手段が、前記電気通信回線を介して前記サーバーに送信するよう制御するオーダーメイドの発注システム。
【発明の効果】
【００１１】
上記した実施形態により、例えば、使用者は編集ページの編集エリアに示される対象物画像に対して、デザイン要素リストにより提供されたデザイン要素を用い、手軽に所望の外見を有する商品を示す対象物画像を作成し、商品の生産者のサーバーに送信して発注することを実現し得る。
【図面の簡単な説明】
【００１２】
【図１】本発明の実施形態におけるオーダーメイドの注文書に要求される対象物の一例が示される分解斜視図である。
【図２】本実施形態の対象物は取付シートと本体との結合により形成されることが示される斜視図である。
【図３】図２における破線ＩＩＩ−ＩＩＩによる一部断面図である。
【図４】商品の生産者のサーバーと通信する複数の電子装置が示される概略図である。
【図５】該サーバーと１つの電子装置とが示されるブロック図である。
【図６】該実施形態における電子装置によって表示される例示的な編集ページが示される概略図である。
【図７】本発明のオーダーメイドの発注方法の実施形態が示されるフローチャートである。
【図８】該実施形態における注文書がサーバーに送信した後、注文変更ためのステップが示されるフローチャートである。
【発明を実施するための形態】
【００１３】
本発明をより詳細に説明する前に、適切と考えられる場合において、符号又は符号の末端部は、同様の特性を有し得る対応する要素を示すために各図面間で繰り返し用いられることに留意されたい。
【００１４】
図１は、本発明の実施形態におけるオーダーメイドの注文書に要求される対象物１の一例が示される分解斜視図であり、図２は、本実施形態の対象物１は取付シート１２と本体１１との結合により形成されることが示される斜視図である。図１と図２に示されるように、本実施形態において、対象物１は、本体１１と、取付シート１２と、を備える。他の実施形態において、対象物１は、センサ１３を更に備える。
【００１５】
本体１１は、伸縮性生地、柔軟性織物、皮革、人工皮革、プラスチック、ゴム、又は発泡材料等の材料を用いて製造されるものである。伸縮性生地は、織布、編布、不織布、エアーメッシュファブリック、サンドイッチメッシュファブリックなどであってもよい。また、本体１１は、一体的に形成されてもよく、それぞれ異なる材料複数のパーツ１１１から組み合わせて１つに形成されてもよい。
【００１６】
図３は、図２における破線ＩＩＩ−ＩＩＩによる一部断面図である。図２と図３に示されるように、取付シート１２は本体１１に取付けるためのものであり、片面に図形またはテキストを有するベース層１２１を備える。ベース層１２１の図形またはテキストは、印刷または刺繍によって形成される。特に、図形またはテキストを印刷するには、熱転写印刷、真空転写印刷などの印刷プロセスを用いてもよい。取付シート１２は、縫製、熱プレスによるリベット、マジックテープ（登録商標）、ボタン等を用いて本体１１に取り付けられてもよい。
【００１７】
一部の実施形態において、取付シート１２は、本体１１に取り付けるように、図形またはテキストを有する表面とは反対側のベース層上に形成された接合層１２２を更に備える。本実施形態において、接着層１２２は、本体１１に浸透し得る接着材により形成され、本体１１と取付シート１２との接合を強固なものとする。
【００１８】
センサ１３は、本体１１又は取付シート１２に取り付けられる。本実施形態において、センサ１３は、対象物１が使用者に着用されている際、使用者の生体情報（例えば、心拍数、体温など）を測定する機能を有する。他の実施形態において、センサ１３は、使用者が対象物１を着用する時間帯、頻度などを記録する機能、全地球測位システム（ＧＰＳ）の機能、気温及び湿度を測定する機能、又は例えば気圧高度計のような高度を測定する機能など、を有しても良い。また、一部の実施形態において、本体１１には、センサ１３により得た情報を他の電子デバイス（例えば、パソコン、スマートフォン、タブレットＰＣなど）に送信する通信手段を更に備える。該通信手段は、電子デバイスへの有線接続を可能にするための接続ポート、又は、ブルートゥース（登録商標）、Ｗｉ−Ｆｉ（登録商標）、無線周波数識別（ＲＦＩＤ）などの無線通信技術を使用して電子デバイスに情報を無線で送信するための無線通信コンポーネント、を備える。
【００１９】
図４〜７を参照して説明する。ここで、図４は、対象物１の生産者のサーバー２と通信する複数の電子装置３が示される概略図であり、図５は、サーバー２と１つの電子装置３とが示されるブロック図である。
【００２０】
図４と図５に示されるように、本発明によるオーダーメイドの発注方法は、アプリケーションを実行する中央処理装置３１、表示手段３２、通信手段３３、入力手段３４及び記憶手段３５を備えた電子装置３と、商品の生産者のサーバー２と、の間の通信を利用することによって実行される。本実施形態において、電子装置３は、例えば、パソコン、スマートフォン、又はタブレットＰＣなどであってもよく、入力手段３４は、タッチパネル、キーボード、又はマウスなどであってもよく、通信手段３３は、有線通信又は無線通信により、ネットワーク、例えばインターネット等の電気通信回線を経由してサーバー２との通信を実施するものである。また、本実施形態において、サーバー２は、演算処理装置２１、電子装置３の通信手段３３と通信できる通信コンポーネント２２、及び記憶コンポーネント２３を備える。
【００２１】
記憶手段３５は、後述するそれぞれ異なる形状を示す複数の対象物タイプ６を含むタイプリスト５１のデータやテンプレートリスト５２のデータや、デザイン要素リスト５４のデータを記憶する。また、サーバー２の記憶コンポーネント２３も上記した記憶手段３５に含まれるデータを含む。
【００２２】
使用者が自らの意思によって決められてデザインや色彩などの外見を有する対象物１を注文したい場合、電子装置３を操作してサーバー２をアクセスすることだけで、発注作業を手軽に行うことができる。
【００２３】
図６、図７を参照しながら本発明のオーダーメイドの発注方法について説明する。ここで、図６は該実施形態における電子装置によって表示される例示的な編集ページが示される概略図であり、図７は本発明のオーダーメイドの発注方法の実施形態が示されるフローチャートである。
【００２４】
図７のステップ４０１において、電子装置３は、サーバー２にログインするために、使用者に関する認証情報をサーバー２に送信する。本実施形態において、認証情報は、使用者により入力された、又は予め電子装置３により記録された、ユーザーネーム及びパスワードを含む。ログインが成功すると、ステップ４０２に進む。
【００２５】
ステップ４０２において、表示手段３２は中央処理装置３１の命令に基づいて、サーバー２からの、図６に示す編集ページ５に関するデータを通信手段３３を介して受信して、記憶手段３５に記憶すると共に、編集ページ５を表示手段３２に表示する。一部の実施形態において、編集ページ５に関するデータは、予め記憶手段３５に記憶されるものである。
【００２６】
図６に示されるように、編集ページ５は、タイプリスト５１と、部品リスト５０と、デザイン要素リスト５４と、編集ツールリスト５５と、テンプレートリスト５２と、選択された対象物（１）を編集するための編集エリア５３と、を含む。タイプリスト５１は、それぞれ対象物１の異なる形状を示す対象物タイプ６を含む。
【００２７】
本実施形態において、対象物１は靴であり、対象物タイプ６は、例えば、運動靴、キャンバスシューズ、カジュアルシューズ、オックスフォードシューズ、ブーツなどが挙げられる。部品リスト５０は、対象物１を構成する部品を含む。本実施形態において、部品リスト５０は、例えば、靴のヴァンプ、靴のソール、靴紐などを含む。
【００２８】
デザイン要素リスト５４は、対象物１に適用できる複数のデザイン要素５４１、例えば、文字、画像、幾何学模様などを含む。編集ツールリスト５５は、それぞれ編集機能を有する編集ツール、例えば、材料、大きさ、及び色の調整、ズームイン、ズームアウト、描画、移動、回転、エフェクトの適用などを含む。テンプレートリスト５２は、予め用意された対象物１の編集結果を示す複数のテンプレート７を含む。
【００２９】
ここで、上述したタイプリスト５１、テンプレートリスト５２、及びデザイン要素リスト５４の各データは、通信手段３３が電気通信回線を通じてサーバー２側から入手して記憶手段３５に予め記憶しても良いし、電子装置３側のブラウザでその都度サーバー２から読み込んでも良い。
【００３０】
すなわち、サーバー２側と電子装置３側で共通する所定のデザイン要素リスト５４等に相当するデータを用意し、サーバー２側では使用者が選択したデザイン要素５４が施されたデータに基いて、オーダーメイド製品を提供する。このため、始めから金型を作成するよりも手間が省ける上にコスト安である。
【００３１】
ステップ４０２において、使用者が入力手段３４でタイプリスト５１の中から何れか１つの対象物タイプ６が選択されたことに応じ、ステップ４０３において、中央処理装置３１の命令に基いて、表示手段３２は選択された対象物タイプ６を示す対象物画像６１を編集できるように、編集エリア５３に対象物画像６１を表示する。
【００３２】
本実施形態において、使用者が対象物タイプ６を選択することにより表示される対象物画像６１は、まだ一切の編集を受けていない初期状態のものである。一部の実施形態において、対象物タイプ６が選択された直後に表示された対象物画像６１は、テンプレートリスト５２に含まれる１つのテンプレート７が適用された後のものである。
【００３３】
ステップ４０３により、使用者は、記憶手段３２に記憶されたデザイン要素リスト５４と編集ツールリスト５５とを使用して対象物６１を自らの意思で編集することができる。
【００３４】
一方、画像編集スキルを有してない使用者には、テンプレートリスト５２に含まれる複数のテンプレート７を利用することが好ましい。テンプレート７は、対象物画像６１に対する特定の編集結果が反映される。
【００３５】
なお、電子装置３側の複数のテンプレート７はサーバー２側と共通のデータを使用することが好ましい。このように、共通のデータを用いることにより、サーバー２側での電子データの編集を速やかに行なうことができ、コストもかかりにくい。
【００３６】
本実施形態の複数のテンプレート７において、商品の生産者により提供された１つのデフォルトテンプレートと、サードパーティー（例えば、他の使用者）により提供される１つの外部テンプレートと、が含まれる。一部の実施形態において、テンプレートリスト５２は、複数のデフォルトテンプレートと、複数の外部テンプレートと、を含む。
【００３７】
使用者が入力手段３４で複数のテンプレート７の中のいずれか１つを選択することに応じ、中央処理装置３１は、選択されたテンプレート７を対象物画像６１に適用し、適用した結果を編集エリア５３に表示するように、表示手段３２を制御する。
【００３８】
ステップ４０４において、中央処理装置３１は、テンプレート７の何れか１つが選択された際、その選択されたテンプレート７は外部テンプレートであるかどうかを判定する。本実施形態において、外部テンプレートに関するデータは、その外部テンプレートを創作した人に関する身元の情報が記録される著作権情報を含み、中央処理装置３１はテンプレート７が著作権情報を含むかどうかに基づいて判定する。
【００３９】
ステップ４０４における判定結果が「はい」である場合、ステップ４０５に進み、「いいえ」の場合、後述するステップ４０７に進む。
【００４０】
ステップ４０５において、外部テンプレートが選択されたことに応じ、サードパーティーに対する使用料の支払いの承諾を求めるメッセージを表示するように、中央処理装置３１は表示手段３２を制御する。使用料の支払いの承諾を求めるメッセージは、使用者が使用料の支払いを承諾するか否か使用者に選択を求めるものである。本実施形態において、支払いの仕組みは、例えば、クレジットカード決済や、電子マネーを利用した電子決済など、既に周知な方法であり、ここでは省略する。
【００４１】
ここで、使用者が支払いを承諾する（はい）と、ステップ４０６に進み、承諾しない（いいえ）場合、ステップ４０２に戻り、対象物画像６１における選択された外部テンプレートの適用状態が取消され、対象物画像６１はテンプレート７を適用する前の状態に戻る。
【００４２】
ステップ４０６において、ユーザーに問い合わせるために対象物画像６１に対して更に編集するか否かのメッセージを表示するよう、中央処理装置３１は表示手段３２を制御する。使用者が更に編集する旨の応答（はい）をした場合、ステップ４０７に進み、編集をやめる場合、ステップ４０７からステップ４１０を経ずに、ステップ４１１に進む。
【００４３】
ステップ４０７において、使用者は、対象物画像６１に対して、例えば編集ツールリスト５５により更に編集することができる。同時に、中央処理装置３１は、使用者に行われたあらゆる編集、即ち、編集履歴を、プログラミング言語(例えば、ＪＡＶＡ、ＪＡＶＡＳＣＲＩＰＴ、ＳＷＩＦＴ、ＯＢＪＥＣＴＩＶＥ  Ｃ)などのコマンドセットの形式で記録されたログデータとして、記憶手段３５に順次に記録する。
【００４４】
使用者が対象物画像６１に対する編集作業を終わらせたいと思うとき、特定の操作、例えば、編集ページ５に表示される「終了」ボタンを押すことによって、中央処理装置３１に終了コマンドを入力する。ステップ４０８において、中央処理装置３１は、終了のコマンドが入力されるかどうかを判定する。判定の結果は「はい」の場合は、ステップ４０９に進み、「いいえ」の場合は、ステップ４０７に戻る。「編集終了」ボタンを押す前に、使用者は部品リスト５０に含まれる他の部品を選択し、引き続き選択された部品に対応する対象物画像６１を編集できる。
【００４５】
ステップ４０９において、編集された対象物画像６１をテンプレート７として他の使用者が利用できるように公開するかどうかを問い合わせるためのメッセージを表示するように、中央処理装置３１は表示手段３２を制御する。使用者が編集された対象物画像６１を公開しようとする場合、使用者の身分に関する情報を入力する必要がある。例えば、中央処理装置３１は、使用者の身分に関する情報を要求するメッセージを表示するよう表示手段３２を制御し、該情報は、著作権情報として記憶手段３５に記録され、後述するステップ４１１が実行される前に、ステップ４１０に進み、該著作権情報は通信手段３３によりサーバー２に送信される。一方、使用者が公開したくない場合、ステップ４１０を飛ばしてステップ４１１に進む。
【００４６】
ステップ４１１において、対象物画像６１の編集作業を終了させる旨の入力手段３４による操作（例えば、終了コマンド）に応じ、編集された対象物画像６１に関するデータと、使用者自身に対応する著作権情報と、をサーバー２に送信するように、中央処理装置３１により通信手段３３を制御する。
【００４７】
本実施形態において、編集された対象物画像６１に関するデータは、選択された対象物タイプ６を示す識別コードと、編集の手順を記録するログデータと、を含む。識別コード及びログデータを含むデータの形式で送信することは、通信回線におけるトラフィックを低減し、送信に掛かる時間を短縮するためである。
【００４８】
サーバー２は、データを受信する際に、識別コード及びログデータに基づいて、編集エリア５３に表示された対象物画像６１と一致する画像を生成し、編集された対象物画像６１を再現する。特に、識別コードに対応する対象物タイプ６に属する初期状態の対象物画像６１を記憶コンポーネント２３から読み出し、そして、ログデータに記録された編集の手順に従って該初期状態の対象物画像６１を編集し、最終的に使用者により編集された対象物画像６１と一致する再現画像を生成して記憶コンポーネント２３に記憶する。
【００４９】
このようにして、ログインする際に入力されたユーザーネームと、該再現画像と、を含む注文書が演算処理装置２１により生成される。一部の実施形態において、編集された対象物画像６１は直接サーバー２に送信される。
【００５０】
注文書が生成された後、商品の生産者は、該注文書に基づいて、編集された対象物画像６１に対応する対象物１の生産工程を始めることができる。注文書に応じ、商品の生産者は、対象物タイプ６に対応する本体１１と、対象物画像６１の外見を有する取り付けシート１２を組み合わせて、対象物１を生産する。
【００５１】
図８は、本実施形態における注文書がサーバー２に送信した後、注文変更ためのステップが示されるフローチャートである。ステップ８０１において、使用者は電子装置３を操作して注文変更請求をサーバー２に送信する。
【００５２】
通信コンポーネント２２が電子装置３から受信した注文書を変更する注文変更請求に応じ、演算処理装置２１は、該注文書に対応する対象物１である商品の製作進捗を元に、該注文変更請求の承諾の可否を判断する。判断の結果が「承諾（はい）」の場合、演算処理装置２１は、ステップ８０３に進み、対象物画像６１を含む編集ページ５を表示することを許可する応答を電子装置３に送信するように、通信コンポーネント２２を制御する。
【００５３】
例えば、取付シート１２の印刷作業がまだ始まっていないときに、サーバー２の演算処理装置２１、又は商品の生産者は、該注文変更請求を承諾し、再編集の許可を送信する。該再編集の許可に応じ、中央処理装置３１は、ステップ８０４において、対象物画像６１を含む編集ページ５を表示するように、表示手段３２を制御する。そして、中央処理装置３１は、ステップ８０４の後にステップ４０６に戻って対象物画像６１の編集作業を再開する。
【００５４】
一方、判断の結果は「承諾できません（いいえ）」の場合(例えば、取付シート１２の印刷作業が既に始まっていたとき)、演算処理装置２１は、ステップ８０２に進み、対象物画像６１を含む編集ページ５を表示することを拒否する応答を電子装置３に送信するように、通信コンポーネント２２を制御する。電子装置３の中央処理装置３１は、通信手段３３により「承諾できません」の応答を受取った後に、ステップ４０２に進み、使用者が新規のオーダーメイドの商品の注文書を作成できるように制御する。一部の実施形態において、中央処理装置３１は、表示手段３２により注文変更請求が拒否されたこと並びに拒否された理由を示すメッセージを表示するように制御する。
【産業上の利用可能性】
【００５５】
以上のように、使用者は編集ページの編集エリアに示される対象物画像に対して、デザイン要素リストにより提供されたデザイン要素を用い、手軽に所望の外見を有する商品を示す対象物画像を作成し、商品の生産者のサーバーに送信して発注することを実現し得る。また、生産作業がまだ始まっていない状態では、消費者は発注した注文を変更することができ、消費者の意向における変化に対処することも実現し得る。
【符号の説明】
【００５６】
１        対象物
１１      本体
１１１    パーツ
１２      取付シート
１２１    ベース層
１２２    接合層
１３      センサ
２        サーバー
２１      演算処理装置
２２      通信コンポーネント
２３      記憶コンポーネント
３        電子装置
３１      中央処理装置
３２      表示手段
３３      通信手段
３４      入力手段
３５      記憶手段
４０１〜４１１  ステップ
５        編集ページ
５０      部品リスト
５１      タイプリスト
５２      テンプレートリスト
５３      編集エリア
５４      デザイン要素リスト
５４１    デザイン要素
５５      編集ツールリスト
６        対象物タイプ
６１      対象物画像
７        テンプレート
８０１〜８０４  ステップ
【図１】
2019071054.tif 000003
【図２】
2019071054.tif 000004
【図３】
2019071054.tif 000005
【図４】
2019071054.tif 000006
【図５】
2019071054.tif 000007
【図６】
2019071054.tif 000008
【図７】
2019071054.tif 000009
【図８】
2019071054.tif 000010